(57)【要約】【課題】  封筒や手提げ袋の状態から分割して、複数のホルダーとして使用する構造の、分割式ホルダーを提供する。【解決手段】    上部を開口した方形状扁平袋体において、前面シート並びに後面シートの中央部に縦方向に切り込み線を設けて本体を左右に対向するように分割可能とする構造を特徴とする分割式ホルダー。【選択図】図１
2010120358.tif 000002
【特許請求の範囲】
【請求項１】
上部を開口した方形状扁平袋体において、前面シート並びに後面シートの中央部に縦方向に切り込み線を設けて本体を左右に対向するように分割可能とする構造を特徴とする分割式ホルダー。
【請求項２】
前面又は後面シートの上辺に折返し片を設けたことを特徴とする、請求項１の分割式ホルダー。
【請求項３】
前面並びに後面シートの上辺にくり抜き穴を開けた把手を設けたことを特徴とする、請求項１の分割式ホルダー。
【請求項４】
前面並びに後面シートの上辺に、複数の穴を設けた把手基部を設け、把手基部の穴に把手を取り付けたことを特徴とする、請求項１の分割式ホルダー。
【発明の詳細な説明】
【技術分野】
【０００１】  本発明は、封筒や手提げバックの状態から分割して、複数のホルダーとして使用する構造の、分割式ホルダーに関するものである。
【背景技術】
【０００２】  従来品として、表側シート及び裏側シートから構成され、内部にシート状の被封入体が封入されている一方、表側シート及び、又は裏側シートの側縁部分には開封部が設けられ、該開封部から開封することによって被封入体が取り出し可能であるとともに、ホルダー類が得られるようにした封入構造体が存在する（特許文献１）。これは例えば、シートを折り線で二つに折り重ねて表側シート及び裏側シートを構成し、折り線を左側縁として上側、下側及び右側縁の全部又は一部をシールシールして内部に被封入体を封入することができる構造のものである。また袋状にしたクリアファイルにくり貫き部分を作ることにより、持ち歩きできるようにし、また切り込み線を入れることにより切り離しができ、文房具として使用することもできるクリアファイルも存在する（特許文献２）。
【特許文献１】特開２００６−２７６５２号公報
【特許文献２】登録実用新案第３１１５７１０号公報
【発明の開示】
【発明が解決しようとする課題】
【０００３】  そのために次のような問題点があった。
（イ）従来のクリアファイルをはじめとするホルダーは主に規格Ａ４サイズを中心に使用されるため、販促用にはＡ４版対応の大きさの封筒状や手提げ袋状のホルダーが多く使用されるが、これらは容量が小さく多量の書類や物品を収納するには不向きである。
（ロ）大型の、封筒状や手提げバック状のホルダーからＡ４サイズのホルダーを切離す構造の封入構造体も存在するが、これらは多量の書類や物品を収納可能であるが、Ａ４サイズのホルダーを分離した後に多量の廃棄部が発生する。
本発明は、これらの問題を解決するためになされたものである。
【課題を解決するための手段】
【０００４】  上部を開口した方形状扁平袋体において、前面シート並びに後面シートの中央部に縦方向に切り込み線を設けて本体を左右に対向するように分割可能とする構造とした。以上よりなる分割式ホルダーである。
【発明の効果】
【０００５】  一例として、分割してＡ４対応のホルダーとなる封入構造体の場合、Ａ３サイズの書類が収納可能な大型の手提げバックとして使用できる構造であり、同様の従来品を上回る容量を確保している。同時に販促品として使用する場合従来品と比較し倍の広告面積を有するため、大きなＰＲ効果を発揮する。また、分割して２枚のＡ４サイズ対応のホルダーとして使用する場合は、分離後の廃棄部分は全く発生しないか、又は従来品と比較し少ない量となり、ゴミ削減の効果もある。
【発明を実施するための最良の形態】  以下、本発明の実施の形態を説明する。【０００６】  本発明は、上部を開口した可撓性樹脂シートからなる方形状扁平袋体本体（１）において、前面シート（２）並びに後面シート（３）の中央部に縦方向に切り込み線（４）を設けて、本体を左右に対向するように分割可能とする構造とした分割式ホルダーの発明である。
【実施例１】
【０００７】  本発明の第１の実施の形態について図１から図４を用いて説明する。
（イ）可撓性樹脂シートからなる方形状の本体（１）中央部を水平に二ツ折りし、前面シート（２）並びに後面シート（３）の左右両辺を封着し上方に向け開口部（５）を設けた方形状扁平袋体とする。
（ロ）前面シート（２）並びに後面シート（３）の中央部に縦方向に切り込み線（４ａ）を設け、本体（１）を左右に対向するように分割可能とする構造とする。
（ハ）前面シート（２）の切り込み線（４ａ）の中央上方寄りに切り欠き片（６ａ）を成す、円弧が左側を向く半円状の切り込み線（４ｂ）を設け、後面シート（３）の切り込み線（４ａ）の中央上方寄りに切り欠き片（６ｂ）を成す、円弧が右側を向く半円状の切り込み線（４ｃ）を設ける。また切り欠き片（６ａ）並びに切り欠き片（６ｂ）を省略し、円弧が内方向を向く半円状の切り欠き部（７）とすることも可能である。
（ニ）前面シート（２）並びに後面シート（３）の上辺中央に、斜辺が内側に湾曲した逆三角形状の切り込み線（４ｄ）を設け切り欠き片（６ｃ）を形成し、本体を切り込み線（４ａ）から二分割した際に形成される２つのホルダー（８）の上隅にアールを形成する構造とする。また切り欠き片（６ｃ）は省略することも可能である。
（ホ）前面シート（２）の上辺左端に逆三角状の切り欠き部（７ａ）を設け、前面シート（２）の上辺中央左寄りに、円弧が下側を向く半円状の切り欠き部（７ｂ）を設け、後面シート（３）の上辺右端に逆三角状の切り欠き部（７ｃ）を設け、後面シート（２）の上辺中央右寄りに、円弧が下側を向く半円状の切り欠き部（７ｄ）を設ける。
本発明は以上の構成からなっている。
本発明を使用するときは、開口部（５）から書類など物品を出し入れできるため一つの袋状のホルダーや封筒として使用する。また、図２に示すように本体（１）を切り込み線（４ａ）から左右に二分割し、各切り欠き片（６）を分離し、２つのホルダー（８）として使用することが可能な構造となっている。このとき各切り欠き片（６）を省略した例の場合、分割後に廃棄される部分は全く発生しない構造となっている。
【実施例２】
【０００８】  本発明の第２の実施の形態について図５から図８を用いて説明する。
（イ）可撓性樹脂シートからなる方形状の本体（１）中央部を水平に二ツ折りし、前面シート（２）並びに後面シート（３）の左右両辺を封着し上方に向け開口部（５）を設けた方形状扁平袋体とする。
（ロ）前面シート（２）の上辺に、横長台形状の折返し片（９）を設け、本体（１）と折返し片（９）との境に折線（１０）を水平に設け、折線（１０）の下に切り込み線（４ｅ）を水平に並設する。このとき切り込み線（４ｅ）の中央部は下方向に向かって、斜辺が内側に湾曲した逆三角形状に突出した形状とする。また折線と（１０）と切り込み線（４ｅ）を同一線上に設け併合させる構造も可能である。
（ハ）前面シート（２）並びに後面シート（３）の中央部から垂直に、本体（１）を左右に分割する切り込み線（４ａ）を設け、本体（１）を左右に対向するように分割可能とする構造とする。このとき切り込み線（４ｅ）中央突出部の下向き頂点は切り込み線（４ａ）と連結し、切り込み線（４ａ）と切り込み線（４ｅ）の連結は正面より見てＴ字形状を成す。
（ニ）前面シート（２）の切り込み線（４ａ）の中央上方寄りに切り欠き片（６ａ）を成す、円弧が左側を向く半円状の切り込み線（４ｂ）を設け、後面シート（３）の切り込み線（４ａ）の中央上方寄りに切り欠き片（６ｂ）を成す、円弧が右側を向く半円状の切り込み線（４ｃ）を設ける。また切り欠き片（６ａ）並びに切り欠き片（６ｂ）を省略し、円弧が内方向を向く半円状の切り欠き部（７）とすることも可能である。
（ホ）後面シート（３）の上辺中央に、斜辺が内側に湾曲した逆三角形状の切り込み線（４ｄ）を設け切り欠き片（６ｃ）を形成し、本体を切り込み線（４ａ）から二分割した際に形成される２つのホルダー（８）の上隅にアールを形成する構造とする。また、切り欠き片（６ｃ）は省略することも可能である。
本発明は以上の構成からなっている。
本発明を使用するときは、開口部（５）から書類など物品を出し入れし、また折返し片（９）を折り開口部（５）封止し、また接着剤や粘着テープ等を用いて接着し、書類などを封入する封筒として使用可能な構造となっている。また、図６に示すように、折返し片（９）を本体（１）から分離し、本体（１）を切り込み線（４ａ）から左右に二分割し各切り欠き片（６）を分離し、２つのホルダー（８）として使用することが可能な構造となっている。
【実施例３】
【０００９】  本発明の第３の実施の形態について図９から図１２を用いて説明する。
（イ）可撓性樹脂シートからなる方形状の本体（１）中央部を水平に二ツ折りし、前面シート（２）並びに後面シート（３）の左右両辺を封着し上方に向け開口部（５）を設けた方形状扁平袋体とする。
（ロ）前面シート（２）並びに後面シート（３）の上辺に、横長楕円状の穴（１１ａ）を設けた把手（１２ａ）を設け、本体（１）と把手（１２ａ）との境に切り込み線（４ｅ）を水平に設ける。このとき切り込み線（４ｅ）の中央部は下方向に向かって、斜辺が内側に湾曲した逆三角形状に突出した形状とする。
（ハ）前面シート（２）並びに後面シート（３）の中央部から垂直に、本体（１）を左右に分割する切り込み線（４ａ）を設ける。このとき切り込み線（４ｅ）中央突出部の下向き頂点は切り込み線（４ａ）と連結し、切り込み線（４ａ）と切り込み線（４ｅ）の連結は正面より見てＴ字形状を成す。
（ニ）前面シート（２）の切り込み線（４ａ）の中央上方寄りに切り欠き片（６ａ）を成す、円弧が左側を向く半円状の切り込み線（５ｂ）を設け、後面シート（３）の切り込み線（５ａ）の中央上方寄りに切り欠き片（６ｂ）を成す、円弧が右側を向く半円状の切り込み線（５ｃ）を設ける。また切り欠き片（６ａ）並びに切り欠き片（６ｂ）を省略し、円弧が内方向を向く半円状の切り欠き部（７）とすることも可能である。
（ホ）前面シート（２）の上辺左端に逆三角状の切り欠き部（７ａ）を設け、後面シート（３）の上辺右端に逆三角状の切り欠き部（７ｃ）を設ける。
本発明は以上の構成からなっている。
本発明を使用するときは、開口部（５）から書類など物品を出し入れし、また把手（１２ａ）を手に持つことにより手提げバックとして使用する。また、図１０に示すように、把手（１２ａ）を本体（１）から分離し、本体（１）を切り込み線（４ａ）から左右に二分割し各切り欠き片（６）を分離し、２つのホルダー（８）として使用することが可能な構造となっている。
【実施例４】
【００１０】  本発明の第４の実施の形態について図１３から図１６を用いて説明する。
（イ）可撓性樹脂シートからなる方形状の本体（１）中央部を水平に二ツ折りし、前面シート（２）並びに後面シート（３）の左右両辺を封着し上方に向け開口部（５）を設けた方形状扁平袋体とする。
（ロ）前面シート（２）並びに後面シート（３）の上辺に、複数の穴（１１ｂ）を有する把手基部（１３）を設け、本体（１）と把手基部（１３）との境に切り込み線（４ｅ）を水平に設ける。このとき切り込み線（４ｅ）の中央部は下方向に向かって、斜辺が内側に湾曲した逆三角形状に突出した形状とする。
（ハ）前面シート（２）並びに後面シート（３）の中央部から垂直に、本体（１）を左右に分割する切り込み線（４ａ）を設ける。このとき切り込み線（４ｅ）中央突出部の下向き頂点は切り込み線（４ａ）と連結し、切り込み線（４ａ）と切り込み線（４ｅ）の連結は正面より見てＴ字形状を成す。
（ニ）前面シート（２）の切り込み線（４ａ）の中央上方寄りに、切り欠き片（６ａ）を成す、円弧が左側を向く半円状の切り込み線（４ｂ）を設け、後面シート（３）の切り込み線（４ａ）の中央上方寄りに、切り欠き片（６ｂ）を成す、円弧が右側を向く半円状の切り込み線（４ｃ）を設ける。また切り欠き片（６ａ）並びに切り欠き片（６ｂ）を省略し、円弧が内方向を向く半円状の切り欠き部（７）とすることも可能である。
（ホ）前面シート（２）の上辺左端に逆三角状の切り欠き部（７ａ）を設け後面シート（３）の上辺右端に逆三角状の切り欠き部（７ｃ）を設ける。
（ヘ）把手基部（１３）の穴（１１ｂ）に把手（１２ｂ）を取り付ける。図１３から図１６では、把手（１２ｂ）は穴（１１ｂ）に凸部を挿入し連結する例を示しているが、把手（１２）は紐状など他形状のものも取り付け可能な構造となっている。
本発明は以上の構成からなっている。
本発明を使用するときは、開口部（５）から書類など物品を出し入れし、また把手（１２ｂ）を手に持つことにより手提げバックとして使用する。また、図１４に示すように、把手基部（１３）を本体（１）から分離し、本体（１）を切り込み線（４ａ）から左右に二分割し各切り欠き片（６）を分離し、２つのホルダー（８）として使用することが可能な構造となっている。
【図面の簡単な説明】
【００１１】
【図１】本発明の斜視透視図
【図２】本発明の斜視分離透視図
【図３】本発明の正面透視図
【図４】本発明の展開図
【図５】本発明の他の実施例の斜視透視図
【図６】本発明の他の実施例の斜視分離透視図
【図７】本発明の他の実施例の正面透視図
【図８】本発明の他の実施例の展開図
【図９】本発明の他の実施例の斜視透視図
【図１０】本発明の他の実施例の斜視分離透視図
【図１１】本発明の他の実施例の正面透視図
【図１２】本発明の他の実施例の展開図
【図１３】本発明の他の実施例の斜視透視図
【図１４】本発明の他の実施例の斜視分離透視図
【図１５】本発明の他の実施例の正面透視図
【図１６】本発明の他の実施例の展開図
【符号の説明】
【００１２】１  本体
２  前面シート
３  後面シート
４  切り込み線
５  開口部
６  切欠き片
７  切欠き部
８  ホルダー
９  折返し片
１０  折線
１１  穴
１２  把手
１３  把手基部
１４  封着部
【図１】
2010120358.tif 000003
【図２】
2010120358.tif 000004
【図３】
2010120358.tif 000005
【図４】
2010120358.tif 000006
【図５】
2010120358.tif 000007
【図６】
2010120358.tif 000008
【図７】
2010120358.tif 000009
【図８】
2010120358.tif 000010
【図９】
2010120358.tif 000011
【図１０】
2010120358.tif 000012
【図１１】
2010120358.tif 000013
【図１２】
2010120358.tif 000014
【図１３】
2010120358.tif 000015
【図１４】
2010120358.tif 000016
【図１５】
2010120358.tif 000017
【図１６】
2010120358.tif 000018